(57)【要約】【目的】これは、ヘソ軸ショットという、ノーバックで打つ新しいバンカーショット出生にともなう、サンドウェッジの改造出願である。【構成】先ず、サンドのバンスを除去して、厚さ３ミリ程のヘッドにする。そして、サンドのシャフトの長さをパターのシャフトより少し短かくする。同時にシャフトの取着け角度も鋭角にする。【選択図】図１
2004337571.tif 000002
【特許請求の範囲】
【請求項１】
シャフトの長さが、７５〜８５ｃｍ迄の間である事を特徴とする、サンド・ウェッジ。
【請求項２】
シャフト角が、垂直線に対して、１０〜１４度迄の間である事を特徴とする、サンド・ウェッジ。
【請求項３】
ヘッドの厚さが、２〜１５ミリ迄の間の、板状の、バンスのない、サンド・ウェッジ。
【請求項４】
パター類、アイアン類、ウェッジ類等の各類において、図２の６、で示す如く、オールグリップ、又は、長大グリップとなす、ヘソ軸打法用のグリップ。
【請求項５】
第４項に示す各類において、図２、図３の７に示す如く、もう一つのグリップを着けて、右手を伸ばせる様になした、ヘソ軸打法用のクラブのグリップ。
【発明の詳細な説明】
【０００１】産業上の利用分野
類似調査の結果−先行出願なし。
これは、平成１５年４月１８日付、特許出願の、短軸・立軸・板状のアイアンの関連出願である。
原出願とは、アイアンのシャフトの長さを、パターのシャフトと同じくらいの長さにし、又、シャフトの取着け角度をもっと鋭角にしたりして、一番以下のアイアンを作り、これをパターとして使う、というものであった。
そして、これにはヘソ軸パットという、右ヒジをヘソ周辺に固定して打つ新打法がその背景にあった。
ここでのテーマは、かかるヘソ軸打法のフォームを、バンカーのサンドに応用、そして、新しいヘソ軸ショット用のサンドを作る、という事である。
【０００２】従来の技術
市販のサンドの背面には、バンスと呼ばれる大きな重い出っ張りがある。これはエクスプロージョンショット用という事であるが、ここではこのバンスを全部除去して、厚さ３ミリ程の板状の薄いサンドを目指す。
バンカーショット、というのは、要するに、確率良く脱出出来れば良いというものであり、バンカーでのショットは、エクスプロージョンでなければならない、という規定はもとよりない。従来のサンド以外は使用厳禁、というわけではない。
そこでヘソ軸パットのフォームや考え方をバンカーショットに導入しよう、というわけである。既述の如くヘソ軸打法というのは、右ヒジをヘソ周辺に固定して打つ前代未聞の新打法である。
従来の打法は、パットもショットも例外なく肩軸で打つから、これを肩軸打法という事が出来る。ここに登場のヘソ軸ショットでは、フォーム改革と共にサンド自体の大改革を視野に入れる。
【０００３】発明が解決しようとする課題
従来の肩軸ショットでは、１ｃｍ単位で球をいじり回す事は出来ない。ところがヘソ軸ショットだと、難なく一様にこれが出来る。
つまり、エクスプロージョンでは、小ワザ、小細工の効かし様がない、という事であり、プロでもバンカー脱出に２〜３打する事がある。この難かしさの原因は、肩軸打法にあり、肩軸打法とは、大振り打法、と言い変える事が出来、ここにバンカー恐怖の原点がある、とするのが、ヘソ軸打法の立場である。
ヘソ軸のバンカーショットは、ノーバックで打つ。球の直後、１〜２ｃｍにヘッドを浮かせてアドレス。球を良く見乍ら、ヘッドを少し押し下げ乍ら、図２の如き角度で一直線にすくい打ちする。
すくい上げはルール違反であるが、すくい打ちはＯＫと決って居る。又、裁定集に、ダウンスイングが１ｃｍあれば、球は正しく打てる、という明記があり、ノーバッで打つショットが問題視される事はない。ヘソ軸ショットは公式戦を前提に創作されて居、ルールが改正されない限り、ＯＫの筈である。
【０００４】課題を解決する為の手段
図１は、ヘソ軸ショット用サンドの正面図である。１は、垂直線、２、２′はシャフト、３はシャフト角である。市販のパターのシャフト角は約１５度である。ここでのサンドのシャフト角は１０〜１４度の間と決める。ここで１０度と決める理由は、ルールの上で、シャフトは１０度以上でなければならない、と決められて居るからだ。又、上限を１４度とするわけは、１４度以下の製品は無いからである。図２の６はオールグリップ、７は二つ目のグリップこれは手の滑り止め。
又、ここでは、シャフトの長さも、７５〜８５ｃｍの間と決める。この長さは市販のパターのシャフトの長さより６〜７ｃｍ短かい。バンカーでのヘソ軸ショットでは、なるべくサンドを身体に近づけ、図３の各図の如く、眼と球との距離を近づけて打つ。４、５のヘッドの厚さは、２〜１４ミリの間とする。
図３のＡは、ヘソ軸ショット、Ｂは、ヒザ軸ショット、Ｃは、ヒザ小僧軸ショット実況図である。微調整の効くショット、という事がバンカショットの要点。ＡよりもＢ、ＢよりもＣ、という順序で小細工、小ワザが効く事は自明である。したがって局面に対応してこれ等を使い分ける。
バンカーショットの長さは約１０ｍ以内と見て良く、よって、長いのはヘソ軸、５ｍはヒザ軸、これ以下はヒザ小僧軸、という事になる。しかし乍ら、体形や好みが違うから、バンカーはすべてヘソ軸で行く、というのも良く、又、オールヒザ小僧軸、というのもおもしろい。図３の各打法で、軽く１０ｍは飛ぶ。
【０００５】作用
ルールの規定内であれば、その用具は、どこをどう改造しても異論は出ない。
図２の５のヘッドは常識からは大分離れて居るが、問題はその作用、その働きである。
かかる作用の実体は、文章を幾ら読んでも分かる事はない。新バンカーショトをその身に体験する迄は、チンプンカンプンと決って居る。新バンカーショットは、図の如く、又、説の如く正しく実行すれば一様にその作用を確認出来、疑問点が一与にドット解消する。
目玉は図２の５′の如く、ヘッドを下に押し下げたらユックリすくい打ちをする。ヘッドと右手が近接した図３のＣの打ち方をすれば、少しなれてくると、確率９５以上で簡単にバンカーを脱出出来、球をピンにからます事が出来る。
図１、図２で示す新しいサンドは、グリーン上でパター代りに使うと非常におもしろい。サンドには溝があり、ロフト角もあり、フェースも広いし、これを上手に使いこなせる様になると依然パットの確率が上昇に転ずる。つまり、パットは技術と言うより、用具が決め手と分ってくる。
【０００６】実施例
ルールの上では、ドライバーでパットをしても、サンドでパットしてもＯＫであり、したがって、サンドのグリーン上陸は時間の問題となりつつある。
サンドをパターとして使う時は、球の直後、１〜２ｃｍにアドレス、そして、カップインラインに集中してノーバックで球をめくら打ちする。打ち方は、図２、図３で示す如くである。
ショートもミドルもロングも、全打球をピッチエンドランのイメージでユックリ打球する。ユックリ打つと球がフェースに乗って居る時間が長くなる。この過程でプレイヤーの意志が球に伝わる。結果として意にかなうパットになる。
先に記述した図２の６、７、のグリップは、サンドにだけ着けるというのではなく、このグリップは当然、ヘソ軸打法に関わる、アイアン及びパターにも応用転用する。
図３の各図で分かる如く、眼とヘッドと右手が近付くというこの事が、小細工の効いた微妙な打ち分けが出来る原動力であり、単に、３ミリの薄いヘッドを作っただけでは、実施上の面白さは皆無である。
【０００７】発明の効果
バンカー狙い、という言葉はないし、バンカー狙いというショットもない。しかし乍ら、ここに来て、カップの位置にもよるが、バンカー狙いのショットが成り立つ状況が出て来た。
打球した球の行く先を従来より確率良く読める、ヘソ軸のバンカーショットの出生は、先ずプロが注目するものと思われる。
究極的には、バンカーショットの改革というより、パット界に及ぼす影響、パットの改革という効果の方が大きい可能性がある。
【図面の簡単な説明】
〔図１〕は、ヘソ軸ショット用サンド・ウェッジ正面図。
〔図２〕は、新バンカーショットの実況側面図。
〔図３〕は、ヘソ軸ショット、ヒザ軸ショット、ヒザ小僧軸の各実況図。
【符号の説明】
１は、垂直線。
２、２′は、シャフト
３は、シャフト角。
４は、厚さ１ｃｍの場合のヘッドの側面図。
５は、厚さ３ミリのヘッドの側面図。
６は、ヘソ軸用の、長大のオールグリップ
７は、ヘソ軸用の新グリップ。
Ａは、ヘソ軸
Ｂは、ヒザ軸
Ｃは、ヒザ小僧軸の各打法
【図１】
2004337571.tif 000003
【図２】
2004337571.tif 000004
【図３】
2004337571.tif 000005